(57)【要約】【課題】汚れをより十分に取り除くことが可能であるとともに、使い勝手が良く、意匠性・デザイン性に優れた携帯用クラブヘッドクリーナーを提供する。【解決手段】クリーナー１を、半円柱状体に形成する。具体的には、半円柱状のスポンジ５の後面（垂直面）に、薄板状に形成された合成樹脂板６を貼着し、スポンジ５及び合成樹脂板６の表面をセーム皮２にて覆う。クリーナー１の前面側となる膨出状に形成された断面半円状部は、拭き取り部４として機能する。一方、クリーナー１の後面上端の略中央に、略Ｕ字状に形成されたフック状の掛止金具３を備える。尚、掛止金具３の端部は、Ｕ字が開く方向へと折り曲げられた折り曲げ部７として形成されている。【選択図】図２
2006223758.tif 000002
【特許請求の範囲】
【請求項１】
ゴルフクラブのヘッドについた汚れを取り除くための携帯用クラブヘッドクリーナーであって、
硬質部の表面に軟質部を備えており、該軟質部の少なくとも一部を膨出状に形成するとともに、該膨出部の少なくとも一部に表層材で覆われた拭き取り部を形成する一方、
靴を含む足下に装着するための掛止手段を備えたことを特徴とする携帯用クラブヘッドクリーナー。
【請求項２】
拭き取り部を、表層材の種類を異ならせて複数箇所に設けたことを特徴とする請求項１に記載の携帯用クラブヘッドクリーナー。
【請求項３】
表層材として、少なくともセーム皮を用いたことを特徴とする請求項１または２に記載の携帯用クラブヘッドクリーナー。
【請求項４】
掛止手段を、Ｕ字状に形成されたフックとして設けるとともに、フックの端部に開く方向へと折り曲げられた折り曲げ部を形成したことを特徴とする請求項１〜３のいずれかに記載の携帯用クラブヘッドクリーナー。
【請求項５】
拭き取り部に、クラブヘッドを挟み込むための溝を設けたことを特徴とする請求項１〜４のいずれかに記載の携帯用クラブヘッドクリーナー。
【発明の詳細な説明】
【技術分野】
【０００１】
本発明は、ゴルフクラブのヘッド等に付着した汚れを拭き取るための携帯用クラブヘッドクリーナーに関するものである。
【背景技術】
【０００２】
ゴルフをプレーするにあたって、プレーヤーは、実際にボールを打つ前にほぼ必ず素振りを行う。そして、素振りを行うと、芝や土等がクラブヘッドに付着し、クラブヘッドを汚してしまうことがある。クラブヘッド、特にフェース等が汚れると、打球に影響を及ぼすおそれがある上、ショット時にプレーヤーの集中力をそぐ原因ともなる。
したがって、従来では、クラブヘッドが汚れるとズボンの裾等で汚れを拭き取っていた。しかしながら、ズボンの裾等で汚れを拭き取ると、当然ズボン等が汚れてしまう。そこで、ズボン等を汚すことなく、手軽にクラブヘッドの汚れを拭き取るためのクリーナーとして、特許文献１に記載されているようなものが考案されている。
【０００３】
【特許文献１】実開平５−８４２０７号公報
【０００４】
特許文献１に記載のクラブヘッドクリーナーは、合成樹脂板の一端に、クラブヘッドに付着した草や土等を取り除くためのへら状の機能部を設ける一方、他端に靴ひもを通すための穴を設けてなるものである。
該クラブヘッドクリーナーは、他端に設けられた穴に靴ひもを通し、該状態で靴ひもを締めることによって靴に取り付けられる。そして、プレーヤーは、クラブヘッドクリーナーの取り付けられた靴を履いてプレーを行い、クラブヘッドに汚れが付着すると、クラブヘッドクリーナーの機能部にクラブヘッドを擦りつけて、汚れを取り除く。
【発明の開示】
【発明が解決しようとする課題】
【０００５】
しかしながら、特許文献１に記載のクラブヘッドクリーナーの機能部は、合成樹脂又はゴム等により形成されているため、クラブヘッドに付着した水分等を十分に取り除くことができないという問題を抱えている。加えて、機能部の弾力性に乏しいため、布等で抜き取るようには汚れを取り除くことができないという問題もある。
また、靴への取付時に一々靴ひもを解かなければならず、その取り付け作業が非常に煩わしい。さらに、一枚の合成樹脂板状に形成されているため、意匠性・デザイン性に乏しい。したがって、特許文献１に記載のクラブヘッドクリーナーを靴に取り付けると、靴や該靴を履いたプレーヤーの外観を損ないかねない。
【０００６】
そこで、本発明は、上述したような問題に鑑みなされたものであって、汚れをより十分に取り除くことが可能であるとともに、使い勝手が良く、意匠性・デザイン性に優れた携帯用クラブヘッドクリーナーを提供しようとするものである。
【課題を解決するための手段】
【０００７】
上記課題を達成するために、請求項１に記載の発明は、ゴルフクラブのヘッドについた汚れを取り除くための携帯用クラブヘッドクリーナーであって、硬質部の表面に軟質部を備えており、該軟質部の少なくとも一部を膨出状に形成するとともに、該膨出部の少なくとも一部に表層材で覆われた拭き取り部を形成する一方、靴を含む足下に装着するための掛止手段を備えたことを特徴とするものである。
請求項２に記載の発明は、請求項１の発明において、拭き取り部を、表層材の種類を異ならせて複数箇所に設けたことを特徴とするものである。
請求項３に記載の発明は、請求項１または２の発明において、表層材として、少なくともセーム皮を用いたことを特徴とするものである。
請求項４に記載の発明は、請求項１〜３のいずれかの発明において、掛止手段を、Ｕ字状に形成されたフックとして設けるとともに、フックの端部に開く方向へと折り曲げられた折り曲げ部を形成したことを特徴とするものである。
請求項５に記載の発明は、請求項１〜４のいずれかの発明において、拭き取り部に、クラブヘッドを挟み込むための溝を設けたことを特徴とするものである。
【発明の効果】
【０００８】
本発明によれば、膨出状に形成された軟質部の表面を表層材で覆った拭き取り部を備えているため、クラブヘッドを押し当てた際、クラブヘッドの表面が携帯用クラブヘッドクリーナーとより密接に当接する。したがって、クラブヘッドに付着した汚れを確実に取り除くことができる。また、軟質部を用いることにより、どのような形状のクラブヘッドであっても、その表面に密着可能で汚れの除去能力を損なうことなく対応することができる。
さらに、硬質部の表面に軟質部を備えることにより軟質部の安定性を高めているため、極めて高い汚れ除去能力を発揮することができる。さらにまた、極めて短時間で手軽に汚れを取り除くことができるため、クラブヘッドの手入れ等により他のプレーヤーのプレーにも迷惑をかけることがなく、マナーの向上にも寄与することになる。
またさらに、拭き取り部が膨出状に形成されているため、押し当てたクラブヘッドをスムーズに上方へと引き上げることができ、より確実に汚れを取り除くことができる。加えて、丸みを帯びた膨出部さえ備えていれば、どのような形状にも形成することができるため、ちょっとしたアクセサリーとしての効果も期待することができ、携帯用クラブヘッドクリーナーの装着による靴やプレーヤーの外観を損なうこともない
また、請求項２に記載の発明によれば、拭き取り部を、表層材の種類を異ならせて複数箇所に設けているため、汚れの種類や量により使い分けることができ、実用性が非常に高い。
さらに、請求項３に記載の発明によれば、表層材として、少なくともセーム皮を用いることにより、水分を含んだ汚れであっても確実に取り除くことができる。
さらにまた、請求項４に記載の発明によれば、掛止手段を、Ｕ字状に形成されたフックとして設けるとともに、フックの端部に開く方向へと折り曲げられた折り曲げ部を形成しているため、該フックを靴ひもの隙間等に差し込むだけで靴へ装着することができるため、靴ひもをほどく必要等もなく、使い勝手が非常に良い。またさらに、フックの端部に設けられた折り曲げ部より、プレー中に不用意に脱落するおそれもなく、実用性をさらに高めることができる。
加えて、請求項５に記載の発明によれば、拭き取り部に、クラブヘッドを挟み込むための溝を設けているため、たとえばアイアン等の比較的薄身のクラブヘッドに付いた汚れを取り除く際、溝にクラブヘッドを挟み込むように用いることで、クラブヘッドの両面の汚れをより手軽且つ確実に取り除くことができる。
【発明を実施するための最良の形態】
【０００９】
以下、本発明の一実施形態となる携帯用クラブヘッドクリーナーについて図面を基に説明する。
【００１０】
図１（ａ）は、クラブヘッドクリーナー（以下、クリーナーと称す）１を前面側から見た説明斜視図であり、図１（ｂ）は、クリーナー１を後面側から見た説明斜視図である。また、図２は、クリーナー１の説明断面図である。
【００１１】
クリーナー１は、半円柱状体に形成されたものであって、半円柱状のスポンジ（軟質部）５の後面（垂直面）に、薄板状（本実施例では、２０ｍｍ×５０ｍｍ）に形成された合成樹脂板（硬質部）６を貼着し、スポンジ５及び合成樹脂板６の表面をセーム皮２（表層材）にて覆ったものである。
クリーナー１の前面側となる膨出状に形成された断面半円状部（本実施例では、半径約２０ｍｍ程度の半円）は、後述するように拭き取り部４として機能する。一方、クリーナー１の後面上端の略中央には、略Ｕ字状に形成されたフック状の掛止金具（掛止手段）３が備えられている。尚、掛止金具３の端部は、Ｕ字が開く方向へと折り曲げられた折り曲げ部７として形成されている。
【００１２】
以上のように構成されるクリーナー１は、下記のようにして使用される。
まず、靴ひもの隙間や舌革と甲革との隙間等に掛止金具３の折り曲げ部７を差し込み、、クリーナー１を靴に掛止し、その状態でプレーする。そして、クラブヘッドに土や芝等の汚れが付着すると、クラブヘッドをクリーナー１の拭き取り部４に押し当て、そのままクラブを引き上げるようにして汚れをサッと拭き取る。
【００１３】
上述の如きクリーナー１によれば、膨出状に形成されたスポンジ５の表面をセーム皮２で覆った拭き取り部４を備えているため、クラブヘッドを押し当てた際、クラブヘッドの表面がクリーナー１とより密接に当接し、確実に汚れを取り除くことができる。また、スポンジ５のような軟質部を用いることにより、どのような形状のクラブヘッドであっても汚れの除去能力を損なうことなく対応することができる。
【００１４】
さらに、スポンジ５の後面に合成樹脂板６を貼着することによりスポンジ５の安定性を高めているため、極めて高い汚れ除去能力を発揮することができる。加えて、極めて短時間で手軽に汚れを取り除くことができるため、クラブヘッドの手入れ等により他のプレーヤーのプレーにも迷惑をかけることがなく、マナーの向上にも寄与することになる。
【００１５】
また、拭き取り部が膨出状に形成されているため、押し当てたクラブヘッドをスムーズに上方へと引き上げることができ、より確実に汚れを取り除くことができる。さらに、拭き取り部４の表面に表層材としてセーム皮２を用いることで、水分をも確実に取り除くことができる。
【００１６】
さらにまた、掛止金具３を靴ひもの隙間等に差し込むだけで靴へ装着することができるため、靴ひもをほどく必要等もなく、使い勝手が非常に良い。また、掛止金具３に折り曲げ部７を設けることにより、プレー中に不用意に脱落するおそれもなく、実用性の高いクリーナー１とすることができる。
加えて、目立ちすぎる程の大きさでもない（２０ｍｍ×５０ｍｍ×２０ｍｍ）上、丸みを帯びた立体感を有していることから、ちょっとしたアクセサリーとしての効果も期待することができ、該クリーナー１の装着による靴やプレーヤーの外観を損なうこともない。
【００１７】
なお、本発明の携帯用クラブヘッドクリーナーの構成は、上記実施形態の態様に何ら限定されるものではなく、クラブヘッドクリーナーの材質、形状、構造、取り付け位置等の構成を、本発明の趣旨を逸脱しない範囲で、必要に応じて適宜変更することができる。
【００１８】
たとえば、上記実施形態では表層材としてセーム皮を採用しているが、セーム皮に限定されることはなく、牛革、吸水性の高い布、ブラシ等を表層材として採用することも当然可能である。また、半面をセーム皮で、もう半面をブラシで覆う等、複数種類の表層材を用いて拭き取り部を複数箇所設け、使い分け可能な構成としても何ら問題はない。
さらに、少なくとも軟質部の表面（拭き取り部として機能する箇所であって、軟質部の全面である必要はない）を覆っているのであれば、本体全面をセーム皮等にて覆う必要もない。加えて、軟質部の表面に一体的な表層材としての表層部（たとえば、表面を波状に形成する等）を設けるようしてもよい。
【００１９】
また、上記実施形態では、クラブヘッドクリーナーの形状を半円柱状としているが、たとえば図３（ａ）に示されているような半球状に形成することも可能であって、膨出状の拭き取り部を備えてさえいれば、全体をハート型やキャラクターを模した形状等に構成することも当然可能であり、消費者の好みによって適宜設計変更可能である。
【００２０】
さらに、図３（ｂ）に示すように、上下方向へとのびる溝８を拭き取り部に備えるように構成することもできる。このように溝８を備えたクラブヘッドクリーナーによれば、たとえばアイアン等の比較的薄身のクラブヘッドに付いた汚れを取り除く際、溝８にクラブヘッドを挟み込むように用いることで、クラブヘッドの両面の汚れをより手軽且つ確実に取り除くことができる。尚、溝８の形状・数等も、拭き取り部の一部として構成されるのであれば適宜設計変更可能である。
【００２１】
さらにまた、掛止手段の構成も上記実施形態に記載のフック状の掛止金具に限定されることはなく、弾性部材により強制的に挟持するクリップ状のもの等を採用しても何ら問題はない。またさらに、軟質部及び硬質部の材質、組み合わせ等も適宜変更可能であって、軟質部としては、弾力性に富んだゴムや合成樹脂、綿、羽毛や羊毛といった繊維等が考えられるし、硬質部としては、金属板や木板等であっても何ら問題はない。
加えて、本発明に係るクラブヘッドクリーナーは、ズボンの裾等といった靴以外の場所であっても当然装着することができる。
【図面の簡単な説明】
【００２２】
【図１】（ａ）は、クラブヘッドクリーナーを前面側から見た説明斜視図であり、（ｂ）は、クラブヘッドクリーナーを後面側から見た説明斜視図である。
【図２】クラブヘッドクリーナーの説明断面図である。
【図３】（ａ）は、クラブヘッドクリーナーの一変更例を示した説明斜視図であり、（ｂ）は、クラブヘッドクリーナーの一変更例を示した説明斜視図である。
【符号の説明】
【００２３】
１・・クラブヘッドクリーナー、２・・セーム皮、３・・掛止金具、４・・拭き取り部、５・・スポンジ、６・・合成樹脂板、７・・折り曲げ部、８・・溝。
【図１】
2006223758.tif 000003
【図２】
2006223758.tif 000004
【図３】
2006223758.tif 000005